(57)【要約】【課題】  高解像度・高品質なデータを得るためのフィルム画像キャプチャリングシステム及び方法を提供すること。【解決手段】  フィルム５０を搭載板２に配置し、位置調整部６及びＸ軸Ｙ軸駆動装置５により、静電気発生装置１のコロナ放電の電極の位置を、フィルム５０の上方の複数位置に移動して、各位置において静電気発生装置１をオン状態としてフィルム５０を帯電する。搭載板２とフィルム５０とが密着され、フィルム５０が一層精密に平面・平坦に固定・保持される。画像取得部８のカメラ８ａでフィルム５０を分割撮影し、処理装置７は、分割された複数の分割画像データを接合して１枚の接合画像のデータを形成する。【選択図】図１
2018032957.tif 000002
【特許請求の範囲】
【請求項１】
フィルム画像キャプチャリングシステムであって、
静電気によりフィルムを帯電するための静電気発生部と、
フィルムが搭載される搭載板と、
前記搭載板が置かれる静電遮蔽マットと、
前記静電気発生部の位置をフィルム上に調整するための位置調整部と、
画像取得部と、
フィルム及び前記搭載板及び前記静電遮蔽マットと、前記画像取得部又は前記静電気発生部との相対位置を、フィルム面に平行なＸＹ平面上で移動するためのＸ軸Ｙ軸駆動装置と、
前記静電気発生部、前記Ｘ軸Ｙ軸駆動装置、前記画像取得部を制御し、画像撮影及び画像処理を実行する処理部と、
を備え、
前記位置調整部により、前記搭載板に置かれたフィルム面に対し帯電のための予め定められた距離に調整された前記静電気発生部に対して、前記処理部は、前記Ｘ軸Ｙ軸駆動装置により、前記静電気発生部の放電位置をフィルム上の複数位置に移動させ、各位置で及び／又は移動中に、前記静電気発生部からの放電によりフィルムを帯電して前記搭載板に吸着させ、
前記処理部は、前記画像取得部により、前記搭載板に吸着されたフィルムから画像データを取得し、メモリに画像データを記憶する、
フィルム画像キャプチャリングシステム。
【請求項２】
請求項１に記載のフィルム画像キャプチャリングシステムにおいて、
前記画像取得部は、カメラであり、フィルム面の上方に設置され、
フィルムが前記搭載板に吸着された後に、前記位置調整部により、前記静電気発生部を前記カメラの撮影範囲外に移動し、
前記処理部は、フィルムをＸ軸及びＹ軸方向に複数に予め定められた領域に分割した複数の分割画像を、前記Ｘ軸Ｙ軸駆動装置により撮影位置を移動して前記カメラにより撮影し、撮影された複数の分割画像のデータを、メモリに記憶し、
前記処理部は、複数の分割画像のデータを接合して接合画像のデータを形成し、分割画像のデータを前記画像データとしてメモリに記憶する、
ことを特徴とするフィルム画像キャプチャリングシステム。
【請求項３】
請求項１に記載のフィルム画像キャプチャリングシステムにおいて、
前記画像取得部は、
センサを駆動してフィルム面を直接スキャンすることで、フィルムの画像データを検出する読み取り部と、
光源部と、
を備え、
フィルムが前記搭載板に吸着された後に、前記Ｘ軸Ｙ軸駆動装置から取り外されてフィルムが吸着された状態の前記搭載板が、前記読み取り部と前記光源部の間に、前記フィルム面が前記読み取り部に面して配置された状態において、
前記処理部は、前記読み取り部及び前記光源部により直接フィルム面をスキャンして前記画像データを検出し、前記画像データをメモリに記憶することを特徴とするフィルム画像キャプチャリングシステム。
【請求項４】
請求項１乃至３のいずれかに記載のフィルム画像キャプチャリングシステムにおいて、
前記搭載板は、乳半アクリル、又は、光を透過及び拡散するための白い板若しくは半透明の板であり、
前記静電遮蔽マットは、縁部を有し、内側のフィルムより広いエリアが開口されている枠形状であり、
前記静電遮蔽マット及び前記搭載板を搭載し、前記静電遮蔽マット及び前記搭載板を介して透過光をフィルムに照射するためのライトパネルを、さらに備えた、
ことを特徴とするフィルム画像キャプチャリングシステム。
【請求項５】
請求項１乃至３のいずれかに記載のフィルム画像キャプチャリングシステムにおいて、
前記静電遮蔽マットは、板状であり、
前記画像取得部は、フィルム面からの反射により前記画像データを取得する、
ことを特徴とするフィルム画像キャプチャリングシステム。
【請求項６】
請求項１乃至５のいずれかに記載のフィルム画像キャプチャリングシステムにおいて、
前記静電遮蔽マットと前記搭載板及びフィルムとの間で静電気を絶縁するための絶縁部を、さらに備えたことを特徴とするフィルム画像キャプチャリングシステム。
【請求項７】
請求項１乃至６のいずれかに記載のフィルム画像キャプチャリングシステムにおいて、
前記搭載板又は前記静電遮蔽マットをアース線により接地するためのアース用スイッチを、さらに備えたことを特徴とするフィルム画像キャプチャリングシステム。
【請求項８】
請求項１乃至７のいずれかに記載のフィルム画像キャプチャリングシステムにおいて、
前記処理部は、前記画像データをメモリから読み出し、表示部に表示及び／又は外部装置に出力させることを特徴とするフィルム画像キャプチャリングシステム。
【請求項９】
請求項１乃至８のいずれかに記載のフィルム画像キャプチャリングシステムにおいて、
前記静電気発生部は、コロナ帯電ガン、グロー放電ガン、又は、他の帯電ガン若しくは放電ガンであることを特徴とするフィルム画像キャプチャリングシステム。
【請求項１０】
請求項１乃至３、５乃至９のいずれかに記載のフィルム画像キャプチャリングシステムにおいて、
前記搭載板は、アクリル製ナングレア板又は他のアクリル板、ナングレアガラス、無反射ガラス、アンチニュートンガラス、又は、プラスチック板、のいずれかであることを特徴とするフィルム画像キャプチャリングシステム。
【請求項１１】
請求項１乃至１０のいずれかに記載のフィルム画像キャプチャリングシステムにおいて、
前記搭載板は、複数の材料を接合した積層構造であることを特徴とするフィルム画像キャプチャリングシステム。
【請求項１２】
フィルム画像キャプチャリング方法であって、
静電気発生部を、静電遮蔽マット上の搭載板に置かれたフィルム面に対し帯電のための予め定められた距離に調整し、
前記静電気発生部の放電位置をフィルム上の複数位置に移動させ、各位置で及び／又は移動中に、前記静電気発生部からの放電によりフィルムを帯電して前記搭載板に吸着させ、
画像取得部により、前記搭載板に吸着されたフィルムから画像データを取得し、メモリに画像データを記憶する、
フィルム画像キャプチャリング方法。
【請求項１３】
請求項１２に記載のフィルム画像キャプチャリング方法において、
前記画像取得部は、カメラであり、フィルム面の上方に設置され、
フィルムが前記搭載板に吸着された後に、前記静電気発生部を前記カメラの撮影範囲外に移動し、
フィルムをＸ軸及びＹ軸方向に複数に予め定められた領域に分割した複数の分割画像を、撮影位置を移動して前記カメラにより撮影し、
処理部は、撮影された複数の分割画像のデータを、メモリに記憶し、
前記処理部は、複数の分割画像のデータを接合して接合画像のデータを形成し、分割画像のデータを前記画像データとしてメモリに記憶する、
ことを特徴とするフィルム画像キャプチャリング方法。
【請求項１４】
請求項１２に記載のフィルム画像キャプチャリング方法において、
前記画像取得部は、
センサを駆動してフィルム面を直接スキャンすることで、フィルムの画像データを検出する読み取り部と、
光源部と、
を備え、
フィルムを前記搭載板に吸着した後に、フィルムが吸着された状態の前記搭載板を、前記読み取り部と前記光源部の間に、前記フィルム面が前記読み取り部に面して配置し、
処理部は、前記読み取り部及び前記光源部により直接フィルム面をスキャンして前記画像データを検出し、前記画像データをメモリに記憶する、
ことを特徴とするフィルム画像キャプチャリング方法。
【発明の詳細な説明】
【技術分野】
【０００１】
本発明は、フィルム画像キャプチャリングシステム及び方法に係り、特に、静電気を利用してフィルムを平坦・平面に保持するフィルム画像キャプチャリングシステム及び方法に関する。
【背景技術】
【０００２】
絵画や彫刻といった伝統的なメディアによる表現は、直接的に身体を介して素材に関わるために、急激な技術革新にさらされる事は必ずしも多くは無い。しかしながら、新たなメディアである写真や映像表現は、身体と表現の間にあるメカニズムそのものが科学技術と不可分であるために、現在、デジタル化の波にさらされている。
最新のデジタルカメラは解像度も非常に高くプロフェッショナルのニーズをほぼ完全に満たしている。しかしフィルムの性能も歴史的に最高の状態であり、フィルムを使用することにより可能性を広げることができる。特に８ｘ１０といった大型フィルムの描写力は、簡単にはデジタルカメラでは置き換えられない。従ってこのフィルムの情報を余すことなくデジタル化して読み込む装置が求められる。そのために写真プロフェッショナル用のスキャナーは４ｘ５ｉｎｃｈまでの対応しかなく、印刷業界の特殊なドラムスキャナーか、一般用のフラットベッドスキャナーしか選択肢が無い。フラットベッドスキャナーのセンサーの解像度は非常に高く優秀であるが、大型フィルムの平面性を保つ機構に課題がある。従って、そのフィルムの保持機構を改善し全面に均一な焦点を結ぶことが可能になれば、高性能な最新のインクジェットプリントと組み合わせることにより、銀塩写真技術に比べても遜色の無いファインプリントのシステムが構築される。
【先行技術文献】
【非特許文献】
【０００３】
【非特許文献１】http://aztek.com/Epson%20V750%20KAMI%20Kit.htm
【発明の概要】
【発明が解決しようとする課題】
【０００４】
レンズを通じた光が感光材料に焼き付けられる事と、電気信号に置き換えられて記録される事には、本質的な写真の違いがある。両者は、すでに解像度的な比較ではかなり近いところまできているが、しかし、粒子とピクセルの違い、ノイズの違い、長時間露光の難易などによって、両者には明らかな違いが生ずる。また、例えば、８×１０ｉｎｃｈ以上の超大型フィルムの圧倒的な描写力は、たやすくデジタルで置き換えることは難しい。
一方、パーソナルコンピューターの性能向上は著しく、大容量のデータでも無理なく処理できる時代になってきた。大型フィルムの高精細で階調豊かな画像を高解像度スキャニングすることにより、その巨大なデータは、デジタルカメラでは不可能な表現も可能にすることができる。しかし、現実的にはフィルムの消費が急減したことにより、メーカーからフィルムスキャナーの新開発はほとんど行われなくなってしまった。現在プロフェッショナル向けの最高級スキャナーは、４×５ｉｎｃｈをカバーするのみである。それ以上のサイズは、印刷用のドラムスキャナーを除けば、フラットベッドタイプの一般消費者用のもので、高精細・高解像度ではあるが、フィルム保持機構に課題があり全面をシャープにキャプチャーすることができない。透過原稿にも対応し、ある程度の大型フィルムのスキャニングにも対応しているものもある。しかし、一般に、温度・湿度・その他の物理的・化学的要因、保存・経年要因等の様々な要因によりフィルムの反りや平面性等が十分に保たれない場合が多い。また、ある程度の大型フィルムを直接ガラスの上に置いてスキャニングをするとニュートンリングができてしまう場合がある等という、決定的な課題が生じていた。
もともと写真におけるデジタル化が進められたのは、例えば、近代の写真技術である銀塩写真における銀資源の枯渇と、また現像液等の処理過程における環境問題の解決等のためであり、銀塩写真の性能や質に問題があったわけでは無い。しかしながら、急激なデジタル化によって、銀塩材料の生産は急激に縮小しつつあり、素材そのものが手に入らなくなりつつある。
現在、大型フィルムの能力を高精細デジタル化するためには、必要とする芸術家等が自ら研究開発し、従来のスキャニング法の課題を明らかにし、新たな高精細スキャニング法および、新たな最高品質デジタルデータ作成法を開発する必要性がある  また、米国などでは、揮発性の液体の吸着力によって均一にガラス面に貼り付けるウエットスキャンが主流だが（非特許文献１）、大切なフィルムを液体に浸すことが想定される。そしてドラムスキャナーは特殊な印刷専門業者しか取り扱わず、しかも、ウエットスキャン同様、専用オイルに浸して吸着させることが想定される。
【０００５】
本発明は、以上の点に鑑み、高解像度・高品質なデータを得るためのフィルム画像キャプチャリングシステム及び方法を提供することを目的とする。
【課題を解決するための手段】
【０００６】
本発明の第１の解決手段によると、
フィルム画像キャプチャリングシステムであって、
静電気によりフィルムを帯電するための静電気発生部と、
フィルムが搭載される搭載板と、
前記搭載板が置かれる静電遮蔽マットと、
前記静電気発生部の位置をフィルム上に調整するための位置調整部と、
画像取得部と、
フィルム及び前記搭載板及び前記静電遮蔽マットと、前記画像取得部又は前記静電気発生部との相対位置を、フィルム面に平行なＸＹ平面上で移動するためのＸ軸Ｙ軸駆動装置と、
前記静電気発生部、前記Ｘ軸Ｙ軸駆動装置、前記画像取得部を制御し、画像撮影及び画像処理を実行する処理部と、
を備え、
前記位置調整部により、前記搭載板に置かれたフィルム面に対し帯電のための予め定められた距離に調整された前記静電気発生部に対して、前記処理部は、前記Ｘ軸Ｙ軸駆動装置により、前記静電気発生部の放電位置をフィルム上の複数位置に移動させ、各位置で及び／又は移動中に、前記静電気発生部からの放電によりフィルムを帯電して前記搭載板に吸着させ、
前記処理部は、前記画像取得部により、前記搭載板に吸着されたフィルムから画像データを取得し、メモリに画像データを記憶する、
フィルム画像キャプチャリングシステムが提供される。
【０００７】
本発明の第２の解決手段によると、
フィルム画像キャプチャリング方法であって、
静電気発生部を、静電遮蔽マット上の搭載板に置かれたフィルム面に対し帯電のための予め定められた距離に調整し、
前記静電気発生部の放電位置をフィルム上の複数位置に移動させ、各位置で及び／又は移動中に、前記静電気発生部からの放電によりフィルムを帯電して前記搭載板に吸着させ、
画像取得部により、前記搭載板に吸着されたフィルムから画像データを取得し、メモリに画像データを記憶する、
フィルム画像キャプチャリング方法が提供される。
【発明の効果】
【０００８】
本発明によると、高解像度・高品質なデータを得るためのフィルム画像キャプチャリングシステム及び方法を提供することができる。
【図面の簡単な説明】
【０００９】
【図１】第１の実施の形態のフィルム画像キャプチャリングシステムの構成図（斜視図）。
【図２】第１の実施の形態のフィルム画像キャプチャリングシステムの構成図（側面図）。
【図３】第１の実施の形態のフィルム画像キャプチャリングシステムの側面拡大図。
【図４】第１の実施の形態の制御系統についてのブロック図。
【図５】第１の実施の形態のフィルム画像キャプチャリングシステムの動作についての説明図。
【図６】第２の実施の形態のフィルム画像キャプチャリングシステムの構成図（側面図）。
【図７】フィルムスキャン装置の構成図。
【図８】第２の実施の形態の制御系統についてのブロック図。
【図９】第２の実施の形態のフィルム画像キャプチャリングシステムの動作についての説明図。
【図１０】フィルムの搭載のための他の構成図。
【発明を実施するための形態】
【００１０】
Ａ．概要
本実施の形態では、特に、フィルムの平坦性・平面性を保つために、静電気を使用してガラス等の搭載板に吸着する方式を採用する。
【００１１】
さらに、ひとつの実施の形態では、分割撮影する方式を採用することができる。例えば、高画質センサーを搭載するカメラを使用し、Ｘ軸Ｙ軸自動駆動装置を用い、搭載板の上に置かれ、静電気により平面性が保たれたフィルムの複数部分を分割撮影し、コンピューターの接合ソフトウエアによってひとつの画像の超高精細な画像データにする。分割の枚数により実際の解像度は、自由に変更拡大することができる。例えば４カットから最大１００カット程度に分割撮影された複数の画像をひとつの画像に接合することができるが、分割数（カット数）はこれに限られず、適宜設定することができる。
【００１２】
さらに、他の実施の形態では、例えば、フラットベッド方式のスキャナーのセンサーと大判フィルムとの光学経路の改良・見直しと、フィルムの固定方法をバキューム式とし平面性を向上させて、超高精細の画像データを得ることができるフィルム画像キャプチャリングシステム及び方法が提供される。一般のフラットベッドタイプのスキャナーは安価に組み立てられ、幅広いフィルムサイズに対応できるが、その構造から、フィルムの平面性を保持することが必ずしも容易ではない。また、ガラス越しにスキャンするために、大型フィルムにはニュートンリングが生じる場合があるなどの課題があった。そこで、本実施の形態では、静電気によるフィルム密着に加え、フラットベットタイプを応用・改良したスキャナーを用いて、ガラス面等の透明板面を読み取り部の光学系と逆位置にする事により内面反射の課題も解決し、高解像度のフィルム画像キャプチャリングシステム及び方法を提供することができる。さらに、従来ではスキャナー等のガラス越しにフィルムをスキャンすることになるが、本実施の形態では、平面性に加え、ガラス等の透明板無しでスキャンするので、より高解像度・高品質なデータを得ることができる。
【００１３】
以上のように、本発明及び／又は本実施の形態によると、静電気によるフィルム密着により、高解像度・高品質なデータを得ることができる。本発明及び／又は本実施の形態によれば、例えば、静電気吸着方式フィルム固定技術、及び、Ｘ軸Ｙ軸自動駆動技術、及び、分割撮影技術若しくは直接スキャン技術、を組み合わせることにより、フィルム画像キャプチャリングシステム及び方法を構築することができる。
また、本発明及び／又は本実施の形態によると、写真表現のための最高画質を極めることができ、現状における一般的な最高画質であるフィルム（例えば、８ｘ１０ｉｎｃｈ）と最高画質デジタルカメラとの画質比較をもとに、今日的な最高画質の獲得と、そのプリントを実現することができ、フィルム画像キャプチャリングシステム及び方法を提供することができる。
【００１４】
Ｂ．  第１の実施の形態のフィルム画像キャプチャリングシステム
図１に、第１の実施の形態のフィルム画像キャプチャリングシステムの構成図（斜視図）を示す。
図２に、第１の実施の形態のフィルム画像キャプチャリングシステムの構成図（側面図）を示す。
さらに、図３に、第１の実施の形態のフィルム画像キャプチャリングシステムの側面拡大図を示す。
【００１５】
第１の実施の形態のフィルム画像キャプチャリングシステム１００−１は、静電気発生装置１、搭載板２、静電遮蔽マット３、ライトパネル４、Ｘ軸Ｙ軸駆動装置５、位置調整部６、処理装置７、画像取得部８、アース用スイッチ９、を備える。フィルム５０は、ネガでもポジでもよい。
なお、図１では、層構成をわかりやすくするため、搭載板２は、ライトパネル４及び静電遮蔽マット３の上部に示されているが、実際には、図２及び図３等のように、搭載板２がライトパネル４及び静電遮蔽マット３上に配置される。
【００１６】
静電気発生装置１は、例えば、コロナ帯電ガンやグロー放電ガン等の帯電ガン・静電ガン・放電ガン等の静電気発生部１ａと、高電圧を発生するための高電圧電源コントローラ１ｂとを有する。静電気発生装置１は、静電気を発生し、静電気により、搭載板２に搭載されたフィルム５０を帯電する。例えば、静電気発生部１ａとして用いられるコロナ帯電ガンは、高電圧電源コントローラ１ｂによるスイッチがオン状態で、先端の電極（例、針等）からコロナ放電によるイオンが発生して、搭載板２に搭載されたフィルム５０を帯電し、これにより、フィルム５０が搭載板２に吸着される。高電圧電源コントローラ１ｂによる静電気発生のオン・オフは処理装置７により自動に制御されるか、手動によりスイッチがオン・オフされる。
【００１７】
搭載板２には、画像キャプチャの対象であるフィルム５０が搭載され、帯電ガン等の静電気発生部１ａからの放電・帯電によりフィルム５０が吸着される。ライトパネル４からの照射光を拡散し、透過してフィルム５０に照射するためには、乳半アクリル板等の白い板や半透明の板を用いるとよい。
搭載板２の材料としては、例えば、フィルム５０と同様に長方形又は正方形又は他の四角形で、無反射の板又は反射防止のコーティング等がされている板を用いることができる。搭載板２としては、例えば、アクリル製ナングレア板等のアクリル板、ナングレアガラス（無反射ガラス）・アンチニュートンガラス・その他のガラス、プラスチック板、透明の材料等を用いることができる。搭載板２の厚さは、例えば５ｍｍ厚等の厚さのものを使用することができるが、これに限らず、平面性を保つために適当な厚さのものを用いることができる。
また、搭載板２として、ガラスとアクリル等の複数の材料を接合した積層構造としてもよい。これにより、例えば、静電気による吸着により平面性を一層保てるように、また、静電気を一層長時間維持することができるようにすることが期待される。
【００１８】
静電遮蔽マット３は、静電気をアースするためのマット又は板で、静電マット又は除電マット等とも呼ばれる。静電遮蔽マット３により、例えば、帯電ガン等の静電気発生部１ａから発生した静電気を搭載板２及び／又はフィルム５０に効率よく帯電させることができる。また、この例では、ライトパネル４からの照射光を、搭載板２を介して拡散してフィルム５０に照射するために、枠形状にされており、縁部を有して内側のフィルム５０より広いエリアが開口されている。
静電遮蔽マット３は、アース用スイッチ９又は手動で、アース線により接地されるものでも、接地されないものでもよい。なお、静電遮蔽マット３は、フィルム５０が搭載板２に十分吸着されるようであれば、省略してもよい。
【００１９】
ライトパネル４は、例えば、ＬＥＤパネルや蛍光灯等を用いることができ、静電遮蔽マット３及び搭載板２を介して、フィルム５０に光を照射するためのものである。なお、ライトパネル４を省略してもよいし、フィルム５０の上方から光を照射する光源部を設けるようにしてもよい。
【００２０】
アース用スイッチ９は、搭載板２又は静電遮蔽マット３をアース線により接地するための構成である。アース用スイッチ９により接地することで、搭載板２に吸着されたフィルム５０を搭載板２から容易に取り除く（はがす）ことができる。アース線の取り方としては、一例として、図示のように、静電遮断マット３と搭載板２の間（接合部分）からアース用スイッチ９を介してアースすることができる。この他にも、例えば、静電遮断マット３からアースする場合、搭載板２からアースする場合、静電遮断マット３と搭載板２の両方からアースする場合など、適宜の箇所からアース用スイッチ９を介してアースに接続することができる。なお、アース用スイッチ９を省略して、操作者・撮影者等が手動でアース線を搭載板２又は静電遮蔽マット３に触れて接地することもできる。
【００２１】
画像取得部８は、例えば、カメラ８ａ及びシャッター指令コントローラ８ｂを有する。カメラ８ａは、特に、高解像度・超高解像度のものを用いるとよい。なお、シャッター指令コントローラ８ｂをカメラ８ａに内蔵又は外付けで備えるようにして、処理装置７から、シャッター指令コントローラ８ｂを介して、カメラ８ａの撮影を制御するようにしてもよい。画像取得部８は、処理装置７により制御されてもよいし、操作者・撮影者等が手動で操作されてもよい。
【００２２】
Ｘ軸Ｙ軸駆動装置５は、Ｘ軸Ｙ軸駆動部５ａ及びＸ軸Ｙ軸駆動コントローラ５ｂを有する。Ｘ軸Ｙ軸駆動部５ａは、搭載板２及び静電遮蔽マット３を搭載する。Ｘ軸Ｙ軸駆動装置５は、処理装置７によりＸ軸Ｙ軸駆動コントローラ５ｂに指令が送られ、Ｘ軸Ｙ軸駆動部５ａにより、フィルム５０が搭載された搭載板２、静電遮蔽マット３の位置をＸ軸及びＹ軸方向に移動する。Ｘ軸Ｙ軸駆動装置５は、処理装置７により制御されてもよいし、操作者・撮影者等が手動で操作されてもよい。
【００２３】
位置調整部６は、静電気発生部１ａを保持・設置し、静電気発生部１ａを帯電するためにフィルム面上の予め定められた距離に近づけたり、撮影範囲（撮影視野）外に移動するなど調整する。その際、位置調整部６は、静電気発生部１ａを支柱と垂直方向・水平方向に移動させてもよいし、静電気発生部１ａを、支柱を中心に回転するように移動するように構成してもよい。位置調整部６は、処理装置７により制御されてもよいし、操作者・撮影者等が手動で操作されてもよい。
【００２４】
なお、一例として、図示のように、Ｘ軸Ｙ軸駆動装置５等を搭載する台・基台・本体等をアースに接続することで、Ｘ軸Ｙ軸駆動装置５（Ｘ軸Ｙ軸駆動部５ａ、Ｘ軸Ｙ軸駆動コントローラ５ｂ）、静電気発生装置１（高電圧電源コントローラ１ｂ）、位置調整部６、画像取得部８等の各部を、必要に応じてアースに接続することができる。アース線の取り方としては、この他にも、Ｘ軸Ｙ軸駆動装置５、静電気発生装置１、位置調整部６、画像取得部８等の各部から直接アースするなど、必要に応じて、ひとつ又は複数の適宜の部・箇所をアースに接続してもよい。
【００２５】
図４は、第１の実施の形態の制御系統についてのブロック図である。
処理装置７は、ＣＰＵ（処理部）、メモリ、入力部、表示部、出力インタフェース（Ｉ／Ｆ）、高電圧電源コントローラＩ／Ｆ、Ｘ軸Ｙ軸駆動コントローラＩ／Ｆ、シャッター指令コントローラＩ／Ｆ、位置調整部Ｉ／Ｆ、を備え、各部は、スター又はバス等の適宜の接続手段で接続されている。
処理装置７（ＣＰＵ）は、静電気発生装置１、高電圧電源コントローラＩ／Ｆを介して高電圧電源コントローラ１ｂに指令を与えて静電気発生部１ａによる放電・帯電を制御し、Ｘ軸Ｙ軸駆動コントローラＩ／Ｆを介してＸ軸Ｙ軸駆動コントローラ５ｂに指令を与えてＸ軸Ｙ軸駆動部５ａを制御する。また、処理装置７（ＣＰＵ）は、シャッター指令コントローラＩ／Ｆを介してシャッター指令コントローラ８ｂに指令を与えてカメラ８ａの撮影等を制御して、撮影した画像データを入力し、メモリに記憶する。なお、これらの各制御は、操作者・撮影者等が手動により動作させてもよい。各部を手動で制御する場合は、各部に対応するＩ／Ｆを省略してもよい。また、処理装置７（ＣＰＵ）は、画像の撮影及び合成処理、記憶・入出力処理、表示処理等の各処理を実行する。
【００２６】
つぎに、動作について説明する。
図５に、第１の実施の形態のフィルム画像キャプチャリングシステムの動作についての説明図を示す。
以下では、一例として、処理装置７のＣＰＵが、静電気発生装置１、Ｘ軸Ｙ軸駆動装置５、位置調整部６、画像取得部８等を制御するが、いずれかの処理（例えば、フィルム５０の静電吸着、位置駆動、画像撮影等の一部又は全部）の制御は、処理装置７による自動でなく、操作者・撮影者等が手動で行ってもよい。
【００２７】
（Ｓ１０１）
フィルム５０を搭載板２に配置する。（なお、この動作は、板を所定位置に搬送するための一般的な自動搬送装置等（図示せず）により自動で行ってもよいし、操作者・撮影者等が手動でおこなってもよい。）
【００２８】
（Ｓ１０３）
処理装置７のＣＰＵは、位置調整部６により、フィルム５０を帯電するために要求される予め定められた距離に近づけるように静電気発生部１ａを移動・設定して調整し、Ｘ軸Ｙ軸駆動装置５により、静電気発生部１ａのコロナ放電の電極の位置を、フィルム５０の上方の複数位置に移動して、各位置において高電圧電源コントローラ１ｂにより静電気発生部１ａをオン状態として放電し、フィルム５０を帯電する。各位置において静止状態で帯電処理を行ってもよいし、各位置へ移動中に帯電処理を行ってもよい。帯電処理を行う位置、回数、移動ラインの位置、直線移動／曲線移動等の移動軌跡、移動速度・加速度等は適宜定めることができる。例えば、ＣＰＵは、静電気発生部１ａを、フィルム５０の周辺から予め定められた距離の内側で４隅等に移動して、各位置で静止状態で帯電処理を行ったり、各位置への移動状態で連続して帯電処理を行うことができる。４隅に限らず、適宜の数の位置で帯電処理を行ったり、あるいは、４隅等に移動して帯電することに加え、フィルム５０のさらに内側の複数位置で帯電処理を行ってもよい。
フィルム５０が搭載板２に吸着されると、処理装置７のＣＰＵは、位置調整部６を用いて、静電気発生部１ａがカメラ８ａによる撮影に影響しないように、撮影範囲外（撮影視野外）へ移動させる。
こうして、搭載板２とフィルム５０とが密着され、フィルム５０が一層精密に平面・平坦に固定・保持される。
【００２９】
（Ｓ１０５）
処理装置７のＣＰＵは、１枚のフィルム５０を縦横方向に予め定められた複数に分割した複数の画像を撮影するため、Ｘ軸Ｙ軸駆動装置５により搭載板２及び静電遮蔽板及びライトパネル４及びフィルム５０をＸ軸及びＹ軸方向に移動し、分割した複数の画像をカメラ８ａにより撮影する制御を行う。ＣＰＵは、カメラ８ａにより撮影された複数の分割画像データを、メモリに記憶する。
ＣＰＵは、予め定められた分割画像の大きさ及び数に応じて、Ｘ軸Ｙ軸駆動装置５及び画像取得部８を制御する。撮影カット数及び撮影エリア等に関しては、予め移動量をセットすることによって、任意に決めることが出来る。具体的には、一例として、数カットから１００カットを超える場合まで試したが、接合に成功した一番大きなデータ量は４０ＧＢを超える。これはコンピューターの処理能力等に負うことであって、パソコンの進化・スペック等によりさらにカット数や解像度等を増すことが可能になる。
【００３０】
（Ｓ１０７）
処理装置７のＣＰＵは、分割された複数の分割画像データを接合して１枚の接合画像のデータ（接合画像データ）を形成する処理を行い、形成された接合画像データをメモリに記憶する。接合する処理は、公知又は周知の画像処理技術を用いることができる。
【００３１】
（Ｓ１０９）
処理装置７のＣＰＵは、接合画像データをメモリから読み出し、表示部に表示及び／又は出力Ｉ／Ｆから外部装置等に出力することができる。
【００３２】
Ｃ．  第２の実施の形態のフィルム画像キャプチャリングシステム
図６に、第２の実施の形態のフィルム画像キャプチャリングシステムの構成図（側面図）を示す。
本実施の形態は、画像取得部として、スキャン装置を用いて画像データを入力するものである。
第２の実施の形態のフィルム画像キャプチャリングシステム１００−２は、静電気発生装置１、搭載板２、静電遮蔽マット３、Ｘ軸Ｙ軸駆動装置５、位置調整部６、処理装置７、フィルムスキャン装置（画像取得部）１０、を備える。フィルム５０が搭載された搭載板２及び静電遮蔽マット３は、Ｘ軸Ｙ軸駆動部５に搭載される。
【００３３】
図７に、フィルムスキャン装置の構成図を示す。
フィルムスキャン装置１０は、光源部２０、読み取り部３０、を備える。フィルム５０は、ネガでもポジでもよい。
フィルムスキャン装置１０では、光源部２０と、読み取り部３０の間に、フィルム面を読み取り部３０に面して、フィルム５０を密着した搭載板２が配置される。
【００３４】
読み取り部３０は、例えば、ＣＣＤ等のラインセンサ等のセンサを備え、センサの駆動機構によりフィルム５０をスキャンすることで、フィルム５０の画像データを検出する。
光源部２０は、読み取り部３０のスキャンに合わせて走査・駆動される構成を示すが、これに限らず、フィルム面を一様に照射する固定された構成など、適宜の構成を用いることができる。
このとき、従来のフラットベッドスキャナーでは、フィルム面と読み取り部３０との間に、ガラスやアクリル等の原稿台が介在するため、直接フィルム面の画像データを検出することができない。しかし、本実施の形態のフィルム画像キャプチャリングシステ１００−２では、読み取り部３０とフィルム５０との間にガラス等の透明板等が介在しない構成であるため、読み取り部３０によりフィルム５０面から直接画像データを検出することができ、また、読み取り部３０とフィルム５０面とを接近することもできるので、高精細・高解像度の画像データを得ることができる。
搭載板２は、第１の実施の形態と同様のものでもよいが、ライトパネル４等による透過光を利用しない場合は、フィルム５０への照射光を透過する必要が無いので、乳半アクリル板等の白い板や半透明の板を用いなくてもよい。
その他の構成は、第１の実施の形態と同様である。
【００３５】
図８は、第２の実施の形態の制御系統についてのブロック図である。
処理装置７は、ＣＰＵ（処理部）、メモリ、入力部、表示部、出力インタフェース（Ｉ／Ｆ）、高電圧電源コントローラＩ／Ｆ、Ｘ軸Ｙ軸駆動コントローラＩ／Ｆ、フィルムスキャン装置Ｉ／Ｆ、位置調整部Ｉ／Ｆ、を備え、各部は、スター又はバス等の適宜の接続手段で接続されている。
処理装置７（ＣＰＵ）は、静電気発生装置１、高電圧電源コントローラＩ／Ｆを介して高電圧電源コントローラ１ｂに指令を与えて静電気発生部１ａによる放電・帯電を制御し、Ｘ軸Ｙ軸駆動コントローラＩ／Ｆを介してＸ軸Ｙ軸駆動コントローラ５ｂに指令を与えてＸ軸Ｙ軸駆動部５ａを制御する。また、処理装置７（ＣＰＵ）は、フィルムスキャン装置Ｉ／Ｆを介してフィルムスキャン装置のスキャン・画像取り込み等を制御して、画像データを入力し、メモリに記憶する。なお、これらの各制御は、操作者・撮影者等が手動により動作させてもよい。各部を手動で制御する場合は、各部に対応するＩ／Ｆを省略してもよい。また、処理装置７（ＣＰＵ）は、画像のスキャン処理、記憶・入出力処理、表示処理等の各処理を実行する。
【００３６】
つぎに、動作について説明する。
図９に、第２の実施の形態のフィルム画像キャプチャリングシステムの動作についての説明図を示す。
以下では、一例として、処理装置７のＣＰＵが、静電気発生装置１、Ｘ軸Ｙ軸駆動装置５、位置調整部６、フィルムスキャン装置（画像取得部）１０等を制御するが、いずれかの処理（例えば、フィルム５０の静電吸着、位置駆動、画像撮影等の一部又は全部）の制御は、処理装置７による自動でなく、操作者・撮影者等が手動で行ってもよい。
【００３７】
（Ｓ１０１）
第１の実施の形態のステップＳ１０１と同様に、フィルム５０を搭載板２に配置する。
（Ｓ１０３）
第１の実施の形態のステップＳ１０３と同様に、静電気発生装置１による帯電処理により、搭載板２とフィルム５０とを密着する。
【００３８】
（Ｓ２０５）
フィルム５０が吸着された搭載板２を、Ｘ軸Ｙ軸駆動部５ａから取り外し、スキャン装置上にセットする。このとき、フィルム面が読み取り部３０側になるように、セットする。（なお、この動作は、板を所定位置に搬送及びセットするための一般的な自動搬送装置等（図示せず）により自動で行ってもよいし、操作者・撮影者等が手動でおこなってもよい。）
【００３９】
（Ｓ２０７）
処理装置７のＣＰＵは、読み取り部３０及び光源部２０を制御して、フィルム５０のフィルム面を直接（ガラス等の透明板を介さずに）スキャンして画像データを検出し、検出した画像データをメモリに保存する。
【００４０】
（Ｓ１０９）
処理装置７のＣＰＵは、メモリに保存されたデータを表示部に表示及び／又は出力Ｉ／Ｆから外部装置等に出力することもできる。
【００４１】
Ｄ．変形例
（１）変形例１
図１０に、フィルムの搭載のための他の構成図を示す。
第１及び第２の実施の形態において、絶縁部１１を、静電遮蔽マット３と、搭載板２及びフィルム５０との間で静電気を絶縁するためにさらに備えてもよい。図では、絶縁部１１が、一例として、静電遮蔽マット３と搭載板２との間に、搭載板２の四隅に配置されているが、これに限らず搭載板２の周辺及び／又は中心等の適宜の位置に適宜の数を配置することができる。
【００４２】
（２）変形例２
第１及び第２の実施の形態、変形例１において、ライトパネル４を省略してもよい。また、ライトパネル４の代わりに、光源の機能の無い他の板やパネルを用いてもよい。また、静電遮蔽マット３を枠形状でなく、全面に渡る板形状とすることができる。
【００４３】
（３）変形例３
第２の実施の形態では、読み取り部３０は、光源部２０部からの出力光のフィルム５０の透過光により画像データを取得する例を示した。しかし、これに限らず、例えば読み取り部３０と光源部２０部が一体構成となり、光源部２０の出力光のフィルム５０からの反射光により画像データを取得する構成を採用してもよい。
この場合、搭載板２は、フィルム５０への照射光を透過する必要が無いので、乳半アクリル板等の白い板や半透明の板を用いなくてもよい。また、静電遮蔽マット３は、枠形状でなく、全面に渡る板形状とすることができる。
【００４４】
（４）変形例４
第１及び第２の実施の形態において、Ｘ軸Ｙ軸駆動装置５は、Ｘ軸Ｙ軸駆動部５ａに搭載板２等を搭載してＸ軸及びＹ軸方向に駆動する例を示したが、画像取得部８、静電気発生装置１を支持してＸ軸及びＹ軸方向に駆動するようにしてもよい。
【００４５】
（５）変形例５
第１の実施の形態において、処理装置７のＣＰＵが、１枚の接合画像のデータを形成する例を示したが、接合画像は２枚に限らず、２枚、４枚等の複数の接合画像のデータを形成するようにしてもよい。
【００４６】
Ｅ．実施の形態の効果
・第１及び第２の実施の形態では、特に、静電気発生装置を備えることで、フィルムの平面性を出すことが可能なので、高精細画像キャプチャーを実現することができる。
・第１及び第２の実施の形態によると、例えば、一枚のフィルムから膨大なデータ量（例えば、５億ｐｉｘｅｌ）の精緻な画像を読み込むことができる。また、第１及び第２の実施の形態によると、例えば８×１０ｉｎｃｈをはじめとする大型フィルムの圧倒的な情報量を、正確に余すこと無くデジタル化することができる。
・第１の実施の形態によると、高精度センサー・超高画質のカメラを用い、縦軸横軸自動又は手動駆動方式によって、フィルムを分割撮影し、ソフトウェアで撮影画像を接合するので、より高解像度・高品質なデータを得ることができる。例えば、１００分割程度の接合の結果、総ｐｉｘｅｌ数５２億と高精度大画像が得られた。
・第１の実施の形態のフィルム画像キャプチャリングシステムによってキャプチャーした画像は、例えば、８×１０ｉｎｃｈフィルムを対象として、実験をしたところ、例えば、解像度が、３６０ｐｐｉ、約３２９ｃｍ×４０９ｃｍとなり、画素数が２７億３百万画素を得ることができた。また、データ量は１５．１ＧＢであった。
【符号の説明】
【００４７】
１００−１、１００−２  フィルム画像キャプチャリングシステム
５０  フィルム
１  静電気発生装置
１ａ  静電気発生部
１ｂ  高電圧電源コントローラ
２  搭載板
３  静電遮蔽マット
４  ライトパネル
５  Ｘ軸Ｙ軸駆動装置
５ａ  Ｘ軸Ｙ軸駆動部
５ｂ  Ｘ軸Ｙ軸駆動コントローラ
６  位置調整部
７  処理装置
８  画像取得部
８ａ  カメラ
８ｂ  シャッター指令コントローラ
９  アース用スイッチ
１１  絶縁部
１０  フィルムスキャン装置（画像取得部）
２０  光源部
３０  読み取り部
【図１】
2018032957.tif 000003
【図２】
2018032957.tif 000004
【図３】
2018032957.tif 000005
【図４】
2018032957.tif 000006
【図５】
2018032957.tif 000007
【図６】
2018032957.tif 000008
【図７】
2018032957.tif 000009
【図８】
2018032957.tif 000010
【図９】
2018032957.tif 000011
【図１０】
2018032957.tif 000012